(57)【要約】【課題】良好なシール性を確保しつつケーブルを位置ずれなく確実にクランプすることが可能なケーブル挿通部の密閉構造及びそれを備えたクロージャを提供する。【解決手段】クロージャ１１は、ベースプレート１２に形成された筒状部４１の凹部４２に嵌合されるシール部材５１と、周方向へ間隔をあけて配置された複数の押圧爪部６３を有し、シール部材５１とともに凹部４２に嵌合される爪部材６１と、周方向へ間隔をあけて配置された複数のクランプ爪部７８を有し、爪部材６１を介してシール部材５１を筒状部４１の凹部４２へ押圧させて密着させるとともに、押圧爪部６３を径方向内方へ弾性変形させてシール部材５１の内周面を光ケーブル２３の外周面へ密着させるシールナット７１と、クランプ爪部７８を径方向内方へ弾性変形させて光ケーブル２３の外周面へ係止させるクランプナット８１と、を備えている。【選択図】図２
2012089640.tif 000002
【特許請求の範囲】
【請求項１】
ベースプレートに形成された挿通口に通されたケーブルをシールするケーブル挿通部の密閉構造であって、
前記ベースプレートの前記挿通口の縁部から軸方向へ延在された筒状部と、
前記筒状部の一端側に形成された凹部に嵌合される弾性材料からなる円筒状のシール部材と、
周方向へ間隔をあけて配置された複数の押圧爪部を有し、前記シール部材の外周に装着されて前記シール部材とともに前記凹部に嵌合される円筒状の爪部材と、
周方向へ間隔をあけて配置された複数のクランプ爪部を有し、前記筒状部へ螺合されることにより前記爪部材を介して前記シール部材を前記ベースプレートの前記筒状部の前記凹部へ押圧させて密着させるとともに、前記爪部材の前記押圧爪部を径方向内方へ弾性変形させて前記シール部材の内周面を前記ケーブルの外周面へ密着させるシールナットと、
前記シールナットへ螺合されることにより前記クランプ爪部を径方向内方へ弾性変形させて前記ケーブルの外周面へ係止させるクランプナットと、を備えていることを特徴とするケーブル挿通部の密閉構造。
【請求項２】
内部が収容空間とされた開口部を有するケースと、前記ケースの前記開口部を閉鎖するように装着されるベースプレートとを有し、前記ベースプレートに設けられたケーブル挿通部から前記収容空間内にケーブルが引き込まれるクロージャであって、
前記ベースプレートの前記ケーブル挿通部が請求項１に記載の密閉構造によってシールされていることを特徴とするクロージャ。
【発明の詳細な説明】
【技術分野】
【０００１】
本発明は、ケーブルが挿通される挿通部における密閉構造及びそれを備えたクロージャに関する。
【背景技術】
【０００２】
光ケーブル等のケーブルの接続部及び余長部を収容するクロージャは、屋外や地下配管内に配設されることがあるため、高い密閉性が要求される。このようなケーブルの挿通箇所における防水構造として、ケーブルをクランプ本体の軸線方向に挿通させるとともに、円筒状ゴムブッシングとクランプリングとに挿通させた後、クランプリングの外側からクランプナットをクランプ本体に螺合させることにより組み立てられる防水ケーブルクランプが知られている（例えば、特許文献１参照）。
【先行技術文献】
【特許文献】
【０００３】
【特許文献１】特開２００２−３４０２３５号公報
【発明の概要】
【発明が解決しようとする課題】
【０００４】
上記のケーブルクランプによれば、クランプ本体にクランプナットを螺合させる過程で、クランプリングとゴムブッシングの作用により、ケーブルとクランプとの密着を達成し、防水効果を高めることができる。しかし、ゴムブッシングの密着力によって保持されているケーブルに、引張力が生じると、ケーブルがゴムブッシングに対して摺動し、クランプ位置がずれてしまうことがあった。
【０００５】
本発明の目的は、良好なシール性を確保しつつケーブルを位置ずれなく確実にクランプすることが可能なケーブル挿通部の密閉構造及びそれを備えたクロージャを提供することにある。
【課題を解決するための手段】
【０００６】
上記課題を解決することのできる本発明のケーブル挿通部の密閉構造は、ベースプレートに形成された挿通口に通されたケーブルをシールするケーブル挿通部の密閉構造であって、
前記ベースプレートの前記挿通口の縁部から軸方向へ延在された筒状部と、
前記筒状部の一端側に形成された凹部に嵌合される弾性材料からなる円筒状のシール部材と、
周方向へ間隔をあけて配置された複数の押圧爪部を有し、前記シール部材の外周に装着されて前記シール部材とともに前記凹部に嵌合される円筒状の爪部材と、
周方向へ間隔をあけて配置された複数のクランプ爪部を有し、前記筒状部へ螺合されることにより前記爪部材を介して前記シール部材を前記ベースプレートの前記筒状部の前記凹部へ押圧させて密着させるとともに、前記爪部材の前記押圧爪部を径方向内方へ弾性変形させて前記シール部材の内周面を前記ケーブルの外周面へ密着させるシールナットと、
前記シールナットへ螺合されることにより前記クランプ爪部を径方向内方へ弾性変形させて前記ケーブルの外周面へ係止させるクランプナットと、を備えていることを特徴とする。
【０００７】
また、本発明のクロージャは、内部が収容空間とされた開口部を有するケースと、前記ケースの前記開口部を閉鎖するように装着されるベースプレートとを有し、前記ベースプレートに設けられたケーブル挿通部から前記収容空間内にケーブルが引き込まれるクロージャであって、
前記ベースプレートの前記ケーブル挿通部が本発明の密閉構造によってシールされていることを特徴とする。
【発明の効果】
【０００８】
本発明によれば、シールナットの装着によって、シール部材をベースプレートの筒状部の凹部へ押圧させて密着させ、また、爪部材の押圧爪部を径方向内方へ弾性変形させてシール部材の内周面をケーブルの外周面へ均等に密着させる。これにより、ベースプレートとケーブルとの間を確実にシールさせることができる。また、クランプナットの装着によって、シールナットのクランプ爪部を径方向内方へ弾性変形させてケーブルの外周面へ均等に係止させる。これにより、ケーブルを確実に把持させることができる。
つまり、ベースプレートのケーブルが通されるケーブル挿通部における良好なシール性を確保しつつケーブルを位置ずれなく確実にクランプすることができる。
【図面の簡単な説明】
【０００９】
【図１】本発明の一実施形態に係るクロージャの外観を示す図であって、（ａ）は平面図、（ｂ）は（ａ）におけるＡ−Ａ断面図、（ｃ）は側面図である。
【図２】本発明の一実施形態に係るケーブル挿通部の密閉構造を備えた光ケーブル引き出し部の断面図である。
【図３】図２の光ケーブル引き出し部の分解斜視図である。
【発明を実施するための形態】
【００１０】
以下、本発明に係るケーブル挿通部の密閉構造及びそれを備えたクロージャの実施の形態の例を、図面を参照して説明する。
図１に示すように、本実施形態に係るクロージャ１１は、例えば、合成樹脂から形成されたベースプレート１２を有している。このベースプレート１２は、下面側にケース１３が水密的に取り付けられており、これにより、このベースプレート１２の下面側はケース１３によって覆われている。なお、この種のクロージャは通常、ケース１３が上側となるように設置される場合が多いが、本明細書及び図面での上下方向は前記のように定める。
【００１１】
ケース１３は、内部が収容空間Ｓとされ、その開口部を閉鎖するように、ベースプレート１２が装着されている。ケース１３で覆われた収容空間Ｓ内には、余長収容部１５が設けられている。この余長収容部１５は、ベースプレート１２に固定されたフレーム１６と、このフレーム１６に支持されて積層された複数の余長収容トレイ１７とを備えている。これらの余長収容トレイ１７には、光ファイバ心線の接続部及び光ファイバ心線の余長部が収容されている。
【００１２】
ベースプレート１２には、光ファイバコード２１が引き出される光ファイバコード引き出し部２２及び光ケーブル（ケーブル）２３が引き込まれる光ケーブル引き込み部（ケーブル挿通部）２４が設けられている。
【００１３】
光ケーブル２３は、複数本の光ファイバ心線を束ねて外被で覆ったもので、例えば外被の内側でスロットロッドの収容溝等に複数本の光ファイバ心線が収容されている。光ケーブル引き込み部（ケーブル挿通部）２４から収容空間Ｓ内に引き込まれた光ケーブル２３は、光ファイバ心線が引き出され、光ファイバコード２１の光ファイバ心線と接続されている。光ファイバコード２１は、１本または複数本の光ファイバ心線を束ねて外被で覆ったものである。そして、これらの光ファイバコード２１の光ファイバ心線と光ケーブル２３の光ファイバ心線との接続部及び余長部が余長収容部１５の余長収容トレイ１７に収容されている。
【００１４】
次に、上記の光ケーブル２３が引き込まれるベースプレート１２における光ケーブル引き込み部２４であるケーブル挿通部の密閉構造について詳述する。
【００１５】
図２及び図３に示すように、光ケーブル引き込み部２４は、ベースプレート１２に形成された挿通口１２ａの縁部から軸方向へ延在されて上方へ突出する筒状部４１を有している。この筒状部４１には、シール部材５１及び爪部材６１が嵌め込まれ、さらに、シールナット７１及びクランプナット８１が装着される。
【００１６】
筒状部４１の上端側には、凹部４２が形成されており、シール部材５１及び爪部材６１は、筒状部４１の凹部４２に嵌合されて筒状部４１に装着される。これにより、シール部材５１は、凹部４２を構成する段部４３に当接し、軸方向への移動が規制される。また、この筒状部４１は、その外周に、雄ネジ４４が形成されている。
【００１７】
シール部材５１は、合成ゴム等の弾性材料からなるもので、略円筒状に形成されている。このシール部材５１には、その下端部に、周方向へわたって突出されたフランジ部５２が形成されている。また、このシール部材５１には、上端部に、外径を僅かに小さくした小径部５３を形成することにより、段部５４が形成されている。
【００１８】
爪部材６１は、合成樹脂材料または金属材料から形成されたもので、略円筒状に形成されている。この爪部材６１には、その上端側に、周方向へ間隔をあけて複数のスリット６２が形成されている。そして、これらのスリット６２を形成することにより、爪部材６１の上端側には、複数の押圧爪部６３が周方向へ等間隔に形成されている。これらの押圧爪部６３には、その先端における内周面側に、内方へ突出する爪部６４が形成されている。
【００１９】
この爪部材６１は、シール部材５１に対して、その外周を覆うように装着される。すると、この爪部材６１の下端部がシール部材５１のフランジ部５２に当接し、また、各押圧爪部６３の爪部６４が、シール部材５１の小径部５３の外周に配置される。
【００２０】
シールナット７１は、合成樹脂材料または金属材料から形成されたもので、筒状に形成されている。このシールナット７１は、平面視六角形状の外形を有するナット部７２と、このナット部７２の上端に形成されたクランプ部７３と、これらのナット部７２とクランプ部７３との間に形成された押圧部７４とを有している。
【００２１】
シールナット７１のナット部７２には、その内周に、筒状部４１の雄ネジ４４に螺合可能な雌ネジ７５が形成されており、シールナット７１は、筒状部４１の雄ネジ４４にナット部７２の雌ネジ７５を螺合させることにより、筒状部４１に装着される。
【００２２】
押圧部７４は、その内周側に、筒状部４１への装着方向へ向かって次第に拡径するテーパ面７６を有しており、このテーパ面７６が、爪部材６１の押圧爪部６３の上端外周部に当接される。
【００２３】
シールナット７１のクランプ部７３には、その上端側に、周方向へ間隔をあけて複数のスリット７７が形成されている。そして、これらのスリット７７を形成することにより、クランプ部７３の上端側には、複数のクランプ爪部７８が周方向へ等間隔に形成されている。これらのクランプ爪部７８には、その先端における内周面側に、内方へ突出する爪部７９が形成されている。また、シールナット７１のクランプ部７３には、クランプ爪部７８よりも下端側における外周に、雄ネジ８０が形成されている。
【００２４】
クランプナット８１は、合成樹脂材料または金属材料から形成されたもので、筒状に形成されている。このクランプナット８１は、平面視六角形状の外形を有しており、その内周には、シールナット７１のクランプ部７３に形成された雄ネジ８０へ螺合可能な雌ネジ８２が形成されている。クランプナット８１は、シールナット７１のクランプ部７３の雄ネジ８０に雌ネジ８２を螺合させることにより、シールナット７１のクランプ部７３に装着される。クランプナット８１は、その上端部における内周側に、シールナット７１のクランプ部７３への装着方向へ向かって次第に拡径するテーパ面８３を有しており、このテーパ面８３が、シールナット７１のクランプ部７３に形成されたクランプ爪部７８の上端外周部に当接される。
【００２５】
上記構造の光ケーブル引き込み部２４に光ケーブル２３を通して保持させるには、まず、クランプナット８１、シールナット７１、爪部材６１及びシール部材５１へ光ケーブル２３を挿通させ、さらに、光ケーブル２３を、筒状部４１へ挿通させる。
【００２６】
シール部材５１に爪部材６１を被せ、これらのシール部材５１及び爪部材６１を、筒状部４１の凹部４２へ、シール部材５１の下端部が凹部４２の段部４３に当接するまで嵌合させる。
【００２７】
光ケーブル２３を収容空間Ｓ側へ必要な導入長さだけ引き込んだら、筒状部４１にシールナット７１のナット部７２を被せ、ナット部７２の雌ネジ７５を、筒状部４１の雄ネジ４４に螺合させ、ナット部７２をねじ込む。
【００２８】
このようにすると、シールナット７１の押圧部７４のテーパ面７６が爪部材６１の押圧爪部６３の先端外周部に当接し、これにより、押圧爪部６３がテーパ面７６によって押圧される。すると、爪部材６１には、ねじ込み方向（図中下向き）へ向かう力が作用し、爪部材６１の下端部によってシール部材５１のフランジ部５２が筒状部４１の段部４３へ押圧され、シール部材５１の下端部が段部４３に密着される。これにより、ベースプレート１２とシール部材５１との間が確実にシールされる。
【００２９】
また、爪部材６１の押圧爪部６３は、シールナット７１の押圧部７４のテーパ面７６によって径方向内方へ向かって押圧されて弾性変形する。すると、これらの押圧爪部６３の内周面側に形成された爪部６４によってシール部材５１が外周面側から押圧され、シール部材５１の内周面が光ケーブル２３の外周面に密着される。これにより、光ケーブル２３とシール部材５１との間が確実にシールされる。このとき、シール部材５１は、周方向へ等間隔に複数配置された押圧爪部６３によって押圧されるので、光ケーブル２３の外周面へ均等に密着される。
【００３０】
次に、シールナット７１のクランプ部７３にクランプナット８１を被せ、クランプナット８１の雌ネジ８２を、クランプ部７３の雄ネジ８０に螺合させ、クランプナット８１をねじ込む。
【００３１】
このようにすると、クランプナット８１のテーパ面８３がシールナット７１のクランプ部７３に形成されたクランプ爪部７８の先端外周部に当接し、これにより、クランプ爪部７８がテーパ面８３によって押圧される。すると、クランプ部７３のクランプ爪部７８は、クランプナット８１のテーパ面８３によって径方向内方へ向かって押圧されて弾性変形する。これにより、これらのクランプ爪部７８の内周面側に形成された爪部７９が光ケーブル２３の外周面に押圧されて光ケーブル２３の外被に食い込まされて係止される。よって、光ケーブル２３は、シールナット７１のクランプ部７３にクランプされて確実に把持される。このとき、クランプ爪部７８は、周方向へ等間隔に複数配置されているので、光ケーブル２３の外周面の周方向に亘ってそれぞれ偏りなく均等に押し付けられる。したがって、光ケーブル２３は、偏って加圧されることによる不具合なく、シールナット７１のクランプ部７３に把持される。
【００３２】
このように、上記実施形態によれば、シールナット７１の装着によって、シール部材５１をベースプレート１２の筒状部４１の凹部４２へ押圧させて密着させ、爪部材６１の押圧爪部６３を径方向内方へ弾性変形させてシール部材５１の内周面を光ケーブル２３の外周面へ均等に密着させる。よって、ベースプレート１２と光ケーブル２３との間を確実にシールさせることができる。さらに、クランプナット８１の装着によって、シールナット７１のクランプ爪部７８を径方向内方へ弾性変形させて光ケーブル２３の外周面へ均等に係止させ、光ケーブル２３を確実に把持させることができる。
【００３３】
このように、ベースプレート１２の光ケーブル２３が通される光ケーブル引き込み部２４における良好なシール性を確保しつつ光ケーブルを位置ずれなく確実にクランプすることができる。
【００３４】
この密閉構造を備えたベースプレート１２を有するクロージャ１１によれば、光ケーブル引き込み部２４における密閉性を大幅に向上させることができ、屋外や地下配管内に配置しても水の浸入を確実に防止することができ、高い信頼性を確保することができる。
【００３５】
なお、上記実施形態では、ベースプレート１２の挿通口１２ａに、光ケーブル２３からなるケーブルを挿通させる構造について説明したが、ベースプレート１２の挿通口１２ａに挿通させるケーブルとしては、光ケーブルに限定されない。
【符号の説明】
【００３６】
１１：クロージャ、１２：ベースプレート、１２ａ：挿通口、１３：ケース、２３：光ケーブル（ケーブル）、２４：光ケーブル引き込み部（ケーブル挿通部）、４１：筒状部、４２：凹部、５１：シール部材、６１：爪部材、６３：押圧爪部、７１：シールナット、７８：クランプ爪部、８１：クランプナット、Ｓ：収容空間
【図１】
2012089640.tif 000003
【図２】
2012089640.tif 000004
【図３】
2012089640.tif 000005